(57)【要約】本発明は、機能性液剤を内部に保持する衛生用具に関するもので、内部に所定の機能を有する液剤が収容される液剤収容部を形成するインナーバレルと、；  前記インナーバレルに装着されて、前記液剤収容部の液剤を吸収する吸収部材と、；  前記インナーバレルに着脱可能に結合されるアウターバレルと、；  前記アウターバレルに装着されて、前記液剤を掃除する掃除部材とを有することを特徴とする。本発明により、保管及び携帯が簡単で、使用が便利な機能性液剤を内部に保持する衛生用具を提供することができる。
2010504801.tif 000002
【特許請求の範囲】
【請求項１】
内部に所定の機能を有する液剤が収容される液剤収容部を形成するインナーバレルと、
前記インナーバレルに装着されて、前記液剤収容部の液剤を吸収する吸収部材と、
前記インナーバレルに着脱可能に結合されるアウターバレルと、
前記アウターバレルに装着されて、前記液剤を掃除する掃除部材とを有することを特徴とする機能性液剤を内部に保持する衛生用具。
【請求項２】
前記インナーバレルは、前記液剤が収容される液剤収容部と、
前記液剤収容部に収容された液剤が流出する流出口と、
前記液剤収容部に収容された液剤を前記流出口に移動させるエアーが流入する流入口とを含むことを特徴とする請求項１に記載の機能性液剤を内部に保持する衛生用具。
【請求項３】
前記アウターバレルは、前記インナーバレルの流入口領域を収容するバレル収容部と、
前記バレル収容部に設けられて、前記流入口に着脱し、前記液剤収容部を開閉するストッパーとを含むことを特徴とする請求項２に記載の機能性液剤を内部に保持する衛生用具。
【請求項４】
前記バレル収容部の内周と、前記インナーバレルの外周との間には、前記流入口にエアーが流動するエアー流路が形成されていることを特徴とする請求項３に記載の機能性液剤を内部に保持する衛生用具。
【請求項５】
前記バレル収容部の内周から突出して、前記インナーバレルの外周を支持する支持リムをさらに含むことを特徴とする請求項４に記載の機能性液剤を内部に保持する衛生用具。
【請求項６】
前記支持リムには、凹凸が形成されていることを特徴とする請求項５に記載の機能性液剤を内部に保持する衛生用具。
【請求項７】
前記インナーバレルの外周の一領域に雄ねじが形成され、前記アウターバレル本体のバレル収容部の内周の一領域には、前記雄ねじがねじ込まれる雌ねじが形成されていることを特徴とする請求項４に記載の機能性液剤を内部に保持する衛生用具。
【請求項８】
前記雌ねじには、ねじの長さ方向に沿って凹凸が形成されていることを特徴とする請求項７に記載の機能性液剤を内部に保持する衛生用具。
【請求項９】
前記吸収部材と掃除部材は、脱脂綿及びニブ（ｎｉｂ）のうちのいずれか１つで形成されることを特徴とする請求項１に記載の機能性液剤を内部に保持する衛生用具。
【請求項１０】
内部に所定の機能を有する液剤が収容される液剤収容部を形成し、一側に前記液剤収容部に収容された液剤が流出する流出口が形成されているインナーバレルと；
前記流出口に設けられて、前記液剤収容部の液剤を吸収する吸収部材と；
前記インナーバレルの内部に弾性部材により移動可能に設置されているピストンと；
前記インナーバレル及びピストンに分離可能に嵌入結合され、前記ピストンを前記インナーバレルに固定する固定ピンを有することを特徴とする機能性液剤を内部に保持する衛生用具。
【請求項１１】
前記ピストンは、前記インナーバレルの内周に気密に移動することを特徴とする請求項１０に記載の機能性液剤を内部に保持する衛生用具。
【請求項１２】
前記吸収部材は、脱脂綿及びニブ（ｎｉｂ）のうちのいずれか１つで形成されることを特徴とする請求項１０に記載の機能性液剤を内部に保持する衛生用具。
【請求項１３】
前記インナーバレルの他側には、掃除部材が装着さられていることを特徴とする請求項１０〜請求項１２のいずれか一項に記載の機能性液剤を内部に保持する衛生用具。
【請求項１４】
前記掃除部材は、脱脂綿で形成されることを特徴とする請求項１３に記載の機能性液剤を内部に保持する衛生用具。
【発明の詳細な説明】
【技術分野】
【０００１】
本発明は、機能性液剤を内部に保持する衛生用具に関するものであり、より詳細には、一端部に吸収部材が装着されたバレルの内部に機能性液剤を注入し、必要に応じてバレルに注入された液剤を吸収部材に流して使用することができる機能性液剤を内部に保持する衛生用具に関する。
【背景技術】
【０００２】
一般的に、傷部位などの消毒、人体の敏感な部分の洗浄、電子製品の洗浄時に衛生用具として綿棒を使用している。
【０００３】
綿棒は、木材や合成樹脂で形成されるスティックの一端部又は両端部に脱脂綿などの吸収性部材を巻きつけた棒であって、より効果的に洗浄するために、アルコールのような機能性液剤を吸収性部材につけて使用している。
【０００４】
しかし、このような従来の綿棒は、作業に必要な機能を有する液剤を別途用意しなければならないという欠点がある。また、作業中に吸収性部材に液剤をつけながら作業をするので、保管及び携帯が面倒で、かつ、使用が不便であるという問題点がある。
【０００５】
そこで、本発明の出願人は、消毒や洗浄などの作業において、液剤を吸収する吸収部材と液剤を別途用意する必要がなく、吸収部材が装着されたバレルに機能性液剤を保持して、必要時にバレルに保持されている液剤が吸収部材に送られて簡単に使用できるようにした機能性液剤を内部に保持する衛生用具を開発するに至った。
【発明の概要】
【発明が解決しようとする課題】
【０００６】
そこで、本発明の目的は、保管及び携帯が容易で、かつ、使用が便利な機能性液剤を内部に保持する衛生用具を提供することである。
【課題を解決するための手段】
【０００７】
上記目的を達成するためになされた本発明は、内部に所定の機能を有する液剤が収容される液剤収容部を形成するインナーバレルと；前記インナーバレルに装着されて、前記液剤収容部の液剤を吸収する吸収部材と；前記インナーバレルに着脱可能に結合されるアウターバレルと；前記アウターバレルに装着されて、前記液剤を掃除する掃除部材とを有することを特徴とする機能性液剤を内部に保持する衛生用具を提供する。
【０００８】
ここで、前記インナーバレルは、前記液剤が収容される液剤収容部と、前記液剤収容部に収容された液剤が流出する流出口と、前記液剤収容部に収容された液剤を前記流出口に移動させるエアーが流入する流入口とを含むことが好ましい。
【０００９】
また、前記アウターバレルは、前記インナーバレルの流入口領域を収容するバレル収容部と；前記バレル収容部に設けられて、前記流入口に着脱し、前記液剤収容部を開閉するストッパーとを含むことが好ましい。
【００１０】
前記バレル収容部の内周と、前記インナーバレルの外周との間には、前記流入口にエアーが流動するエアー流路が形成されることにより、前記インナーバレルを前記アウターバレルから分離する過程において、外部のエアーが前記エアー流路を通じて前記流入口に流入し、前記液剤収容部に収容された液剤を前記流出口に移動させて前記吸収部材に液剤を供給することができる。
【００１１】
前記バレル収容部の内周から突出して、前記インナーバレルの外周を支持する支持リムをさらに含むことが好ましい。
【００１２】
前記支持リムには、凹凸が形成されており、前記インナーバレルを前記アウターバレルから完全分離しなくても、外部のエアーが前記支持リムの凹凸により前記エアー流路に円滑に流入して、前記液剤収容部に収容された液剤を前記吸収部材に供給することができる。
【００１３】
本発明の他の実施形態によれば、前記インナーバレルの外周の一領域に雄ねじが形成され、前記アウターバレル本体のバレル収容部の内周の一領域には、前記雄ねじがねじ込まれる雌ねじが形成されることにより、前記インナーバレルを前記アウターバレルに容易に着脱できるようになる。
【００１４】
前記雌ねじには、ねじの長さ方向に沿って凹凸が形成されており、前記インナーバレルを前記アウターバレルから完全に分離しなくても、外部のエアーが前記雌ねじの凹凸を通じて前記エアー流路に円滑に流入して、前記液剤収容部に収容された液剤を前記吸収部材に供給することができる。
【００１５】
前記吸収部材と掃除部材は、脱脂綿及びニブ（ｎｉｂ）のうちのいずれか１つで形成されることが好ましい。
【００１６】
また、上記目的は、内部に所定の機能を有する液剤が収容される液剤収容部を形成し、一側に前記液剤収容部に収容された液剤が流出する流出口が形成されているインナーバレルと；前記流出口に設けられて、前記液剤収容部の液剤を吸収する吸収部材と；前記インナーバレルの内部に弾性部材により移動可能に設置されているピストンと；前記インナーバレル及びピストンに分離可能に嵌入結合され、前記ピストンを前記インナーバレルに固定する固定ピンを有することを特徴とする機能性液剤を内部に保持する衛生用具により達成することができる。
【００１７】
前記ピストンは、前記インナーバレルの内周に気密に移動することが好ましい。
【００１８】
前記吸収部材は、脱脂綿及びニブ（ｎｉｂ）のうちのいずれか１つで形成されることが好ましい。
【００１９】
前記インナーバレルの他側には、掃除部材が取り付けられていることが好ましい。
【００２０】
前記掃除部材は、脱脂綿で形成されることが好ましい。
【図面の簡単な説明】
【００２１】
【図１】本発明の第１の実施形態による機能性液剤を内部に保持する衛生用具の斜視図。
【図２】図１の縦断面図。
【図３】本発明の第１の実施形態による機能性液剤を内部に保持する衛生用具の使用過程を示す図１の縦断面図。
【図４】本発明の第２の実施形態による機能性液剤を内部に保持する衛生用具の斜視図。
【図５】図４の縦断面図。
【図６】本発明の第３の実施形態による機能性液剤を内部に保持する衛生用具の斜視図。
【図７】図６の縦断面図。
【図８】本発明の第３の実施形態による機能性液剤を内部に保持する衛生用具の使用過程を示す図３の縦断面図。
【図９】図６の側断面図。
【図１０】本発明の第４の実施形態による機能性液剤を内部に保持する衛生用具の分解斜視図。
【図１１】図１０の縦断面図。
【図１２】本発明の第５の実施形態による機能性液剤を内部に保持する衛生用具の斜視図。
【図１３】図１２の縦断面図。
【図１４】本発明の第６の実施形態による機能性液剤を内部に保持する衛生用具の断面図。
【図１５】本発明の第７の実施形態による機能性液剤を内部に保持する衛生用具の斜視図。
【図１６】図１５の縦断面図。
【発明を実施するための形態】
【００２２】
以下、添付した図面を参照して本発明の好ましい実施例を詳細に説明する。
【００２３】
なお、本発明の実施形態において、同様の構成要素については同一の参照符号を用いて第１の実施形態を説明し、その他の実施形態では第１の実施形態と異なる点のみについて説明する。
【００２４】
図１〜図３には、本発明の第１の実施形態による機能性液剤を内部に保持する衛生用具が示されている。図示するように、本発明の第１の実施形態による機能性液剤を内部に保持する衛生用具は、インナーバレル１０と、吸収部材２０と、アウターバレル３０と、掃除部材５０とを有する。
【００２５】
インナーバレル１０は、中空のパイプ形状、つまり、内部が空いている円形断面のパイプ形状を有し、内部に所定の機能を有する液剤５を収容する液剤収容部１１が形成されている。インナーバレル１０の一側には、液剤収容部１１に収容された液剤５が流出する流出口１３が形成されており、他側には、液剤収容部１１に収容された液剤５を流出口１３に移動させるエアーが流入する流入口１５が形成されている。
【００２６】
インナーバレル１０の流出口１３には、液剤収容部１１の液剤５を吸収する吸収部材２０が設けられている。本実施形態では、吸収部材２０として吸収性に優れている脱脂綿が使用されている。ここで、吸収部材２０が装着されるインナーバレル１０の外周にはスクラッチを形成して、インナーバレル１０と吸収部材２０との結合力を増大させることが好ましい。
【００２７】
アウターバレル３０は、内部が空いている円形断面のパイプ形状を有し、インナーバレル１０の長さ方向に沿って往復移動する。アウターバレル３０は、インナーバレル１０の流入口１５の領域を収容するバレル収容部３３と、バレル収容部３３に設けられて流入口１５に着脱し、かつ液剤収容部１３を開閉するストッパー５０を有する。
【００２８】
バレル収容部３３の内周とインナーバレル１０の外周は、所定間隔を置いて離隔設置され、バレル収容部３３の内周とインナーバレル１０の外周との間には流入口１５にエアーが流動するエアー流路３５が形成されている。これにより、インナーバレル１０をアウターバレル３０から分離する過程で外部のエアーがエアー流路３５を通じて流入口１５に流入し、液剤収容部１３に収容された液剤５を流出口１３に移動させて吸収部材２０に液剤５を供給することができるようになる。
【００２９】
また、インナーバレル１０の流出口１３と反対側に位置するアウターバレル３０の外周端部には、液剤５を吸収する掃除部材４０が装着されている。掃除部材４０としては吸収部材２０と同様に、吸収性に優れている脱脂綿が使用される。また、掃除部材４０が装着されるアウターバレル３０の外周にはスクラッチを形成して、アウターバレル３０と掃除部材４０との結合力を増大させることが好ましい。掃除部材４０は、機能性液剤５が塗布される部分を清潔にするために使用するか、或いは、吸収部材２０により誤って液剤５が塗布された部分を綺麗にするときに使用する。
【００３０】
なお、本発明による機能性液剤を内部に保持する衛生用具１において、吸収部材２０と掃除部材４０とが対称を成して配置されている。
【００３１】
ストッパー５０は、アウターバレル３０の内周からアウターバレル３０の軸線方向に沿って一定長さが突出している。ストッパー５０は、流入口１５に挿入されるとき液剤収容部１１の気密を維持するために、流入口１５と同一な断面形状及び大きさを有する。ストッパー５０は、アウターバレル３０の往復移動によりインナーバレル１０の流入口１５を形成する端部に密着又は密着解除され、つまり、インナーバレル１０の流入口１５に着脱し、流入口１５を閉鎖及び開放して、液剤収容部１１を閉鎖及び開放する。また、本発明の第１の実施形態によるストッパー５０は、エアー流路３５に流入したエアーがアウターバレル３０の内周に沿って掃除部材４０に流動するのを防止する役割もする。ここで、ストッパー５０は、弾性を有するゴムなどの材料で形成されることが好ましい。
【００３２】
以下、本発明の第１の実施形態による機能性液剤を内部に保持する衛生用具の製造過程について簡単に説明する。
【００３３】
まず、ストッパー５０が流入口１５を閉鎖するように、インナーバレル１０の流入口１５を形成する端部にアウターバレル３０を設ける。
【００３４】
次に、所定の機能を有する液剤５をインナーバレル１０の液剤収容部１１に注入させる。液剤５を液剤収容部１１に注入するとき、ストッパー５０がインナーバレル１０の流入口１５を密閉しているので、液剤５とストッパー５０との間の液剤収容部１１には負圧を形成するようになる。
【００３５】
次いで、インナーバレル１０に所定量の液剤５を注入した後、インナーバレル１０の流出口１３領域に吸収部材２０を装着する。このとき、インナーバレル１０の液剤収容部１１に保持された液剤５は、液剤５とストッパー５０との間の負圧とともに液剤５の表面張力により、インナーバレル１０の流出口１３に移動しなくなり、本発明の第１の実施形態による機能性液剤を内部に保持する衛生用具の製造が完了する。
【００３６】
以下、このような構成を有する本発明の第１の実施形態による機能性液剤を内部に保持する衛生用具の使用過程を説明する。
【００３７】
図２に示すように、インナーバレル１０の液剤収容部１１に機能性液剤５が注入された状態で、図３に示すように、アウターバレル３０を図面の右側に移動させると、つまり、インナーバレル１０とアウターバレル３０を互いに離隔させると、ストッパー５０がアウターバレル３０とともに図面の右方向に移動して、インナーバレル１０の流入口１５が開放される。
【００３８】
流入口１５が開放されることにより、外部のエアーがエアー流路３５を通じて流入口１５に流入して流入口１５の圧力が増大し、そのため流入口１５と液剤５との間の負圧が解除され、液剤収容部１１に保持された液剤５がインナーバレル１０の流出口１３に移動して、吸収部材２０を濡らすようになる。
【００３９】
吸収部材２０が濡れると、使用者は、吸収部材２０に吸収された液剤５を所望の箇所に簡単に塗布して使用することができる。
【００４０】
図４及び図５には、本発明の第２の実施形態による機能性液剤を内部に保持する衛生用具の縦断面図が示されている。本発明の第２の実施形態による機能性液剤を内部に保持する衛生用具は、上記第１の実施形態と異なり、インナーバレル１０の流出口１３の吸収部材２０´としてニブ（ｎｉｂ）を使用している。
【００４１】
これにより、上記第１の実施形態の機能性液剤を内部に保持する衛生用具１に比べて、所望の箇所に液剤５を精密に塗布することができるようになる。
【００４２】
ここで、吸収部材２０´へ機能性液剤５を供給する過程は、上記第１の実施形態と同一であるので説明を省略する。
【００４３】
一方、図６〜図９には、本発明の第３の実施形態による機能性液剤を内部に保持する衛生用具が示されている。図示するように、本発明の第３の実施形態による機能性液剤を内部に保持する衛生用具は、上記第１の実施形態と異なり、アウターバレル３０の内周には半径方向に突出して、インナーバレル１０の外周を支持する支持リム３７が形成されている。また、支持リム３７は、インナーバレル１０の外周を部分的に支持するように凹凸が形成されている。
【００４４】
なお、インナーバレル１０をアウターバレル３０から完全に分離しなくても、外部のエアーが支持リム３７の凹凸を通じてエアー流露３５に円滑に流入して、液剤収容部１１に収容された液剤５を吸収部材２０に供給することができるようになる。
ここで、吸収部材２０に機能性液剤５を供給する過程は、上記第１の実施形態と同一であるので説明を省略する。また、本実施形態では、吸収部材２０として吸収性に優れている脱脂綿を使用しているが、ニブ（ｎｉｂ）を使用することもできる。
【００４５】
また、図１０及び図１１には、本発明の第４の実施形態による機能性液剤を内部に保持する衛生用具が示されている。本発明の第４の実施形態による機能性液剤を内部に保持する衛生用具は、上記第３の実施形態の支持リム３７の代わりに、インナーバレル１０の外周の一領域に雄ねじ１７が形成され、アウターバレル３０のバレル収容部３３の内周の一領域には雄ねじ１７が嵌入される雌ねず３９が形成されている。
【００４６】
また、バレル収容部３３の雌ねじ３９には、ねじの長さ方向に沿って凹凸が形成されている。これにより、インナーバレル１０をアウターバレル３０から完全に分離しなくても、外部のエアーが雌ねじ３９の凹凸を通じてエアー流路３５に円滑に流入して、液剤収容部１１に収容された液剤５を吸収部材２０に供給することができるようになる。
【００４７】
よって、本発明の第４の実施形態による機能性液剤を内部に保持する衛生用具は、上記第３の実施形態に比べて、インナーバレル１０をアウターバレル３０に容易に着脱することができる。
【００４８】
ここで、吸収部材２０に機能性液剤５を供給する過程は、上記第１の実施形態と同一であるので説明を省略する。また、本実施形態では、吸収部材２０として吸収性に優れている脱脂綿を使用しているが、ニブ（ｎｉｂ）を使用することもできる。
【００４９】
また、図１２及び図１３には、本発明の第５の実施形態による機能性液剤を内部に保持する衛生用具が示されている。本発明の第５の実施形態による機能性液剤を内部に保持する衛生用具は、上記の実施形態と異なり、アウターバレルを備えず、インナーバレル１０の内部にピストン６１が弾性部材６３により移動可能に設置されており、該ピストン６１は、固定ピン６５によりインナーバレル１０に分離可能に嵌入結合されて固定されている。
【００５０】
即ち、本発明の第５の実施形態による機能性液剤を内部に保持する衛生用具において、インナーバレル１０の一側の端部に液剤収容部１１に収容された液剤５が流出する流出口１３が形成されている。
【００５１】
インナーバレル１０の流出口１３には、液剤収容部１１の液剤５を吸収する吸収部材２０が装着されている。本実施形態では、吸収部材２０として吸収性に優れている脱脂綿が使用されている。
【００５２】
ピストン６１は、インナーバレル１０の内周に気密を維持しながら移動可能に設置され、液剤収容部１１の液剤５をインナーバレル１０の流出口１３側に押し出す。
【００５３】
インナーバレル１０の他側の端部にはストッパー５０が設けられ、ストッパー５０とピストン６１との間には弾性部材６３が介在している。弾性部材６３は、ピストン６１がインナーバレル１０の流出口１３側に移動するように弾性力を提供する。
【００５４】
一方、ピストン６１には固定ピン６５が分離可能に嵌入結合されて、ピストン６１の移動を制限する。固定ピン６５は、インナーバレル１０の外周に貫通して形成された貫通孔１９及びピストン６１に形成された嵌入穴６１ａに嵌入結合され、この固定ピン６５をピストン６１の嵌入穴６１ａから分離すると、ピストン６１は、流出口１３側に移動して液剤５をインナーバレル１０の流出口１３側に押し出す。
【００５５】
また、インナーバレル１０の他側端部には、掃除部材４０が装着されてもよく、この掃除部材４０は、吸収部材２０と同様に、吸収性に優れている脱脂綿で形成されている。
なお、本発明の第５の実施形態による機能性液剤を内部に保持する衛生用具において、吸収部材２０と掃除部材４０とが対称を成して配置されている。
【００５６】
以下、このような構成を有する本発明の第５の実施形態による機能性液剤を内部に保持する衛生用具の使用過程を説明する。
【００５７】
インナーバレル１０の液剤収容部１１に機能性液剤５が注入された状態で、固定ピン６５をピストン６１の嵌入穴６１ａから分離すると、ピストン６１は、弾性部材６３の弾性力により流出側１３に移動して、液剤５をインナーバレル１０の流出口１３側に押し出す。
【００５８】
このように、液剤５が流出口１３側に流出して、吸収部材２０を濡らすようになる。
【００５９】
吸収部材２０が濡れると、使用者は、吸収部材２０に吸収された液剤５を所望の箇所に簡単に塗布して使用することができるようになる。
【００６０】
図１４は、本発明の第６の実施形態による機能性液剤を内部に保持する衛生用具を示す図であって、上記第５の実施形態と異なり、インナーバレル１０の他側端部に掃除部材４０を省略したことを特徴とする。
【００６１】
また、図１５及び図１６は、本発明の第７の実施形態による機能性液剤を内部に保持する衛生用具を示す図である。本発明の第７の実施形態による機能性液剤を内部に保持する衛生用具は、上記第５の実施形態と異なり、インナーバレル１０の流出口１３に吸収部材２０´としてニブ（ｎｉｂ）が使用されている。
【００６２】
なお、上記第５の実施形態による機能性液剤を内部に保持する衛生用具に比べて、所望の箇所に液剤５を精密に塗布することができる。
【００６３】
ここで、吸収部材２０´として機能性液剤５を供給する過程は、上記第５の実施形態と同一であるので説明を省略する。
【００６４】
以上のように、本発明によれば、機能性液剤を吸収部材に簡単につけて使用することができ、機能性液剤を吸収部材と別途に用意する必要がなくなる。
【００６５】
本発明の技術的範囲は上記の実施例には限定されない。当業者であれば、本発明の思想および範囲から逸脱することなく、様々な変更を行なうことができることは言うまでもない。したがって、それらの変形例及び改良例も本発明の技術的範囲に属すると解されるべきである。
【図１】
2010504801.tif 000003
【図２】
2010504801.tif 000004
【図３】
2010504801.tif 000005
【図４】
2010504801.tif 000006
【図５】
2010504801.tif 000007
【図６】
2010504801.tif 000008
【図７】
2010504801.tif 000009
【図８】
2010504801.tif 000010
【図９】
2010504801.tif 000011
【図１０】
2010504801.tif 000012
【図１１】
2010504801.tif 000013
【図１２】
2010504801.tif 000014
【図１３】
2010504801.tif 000015
【図１４】
2010504801.tif 000016
【図１５】
2010504801.tif 000017
【図１６】
2010504801.tif 000018
【国際調査報告】
2010504801.tif 000019
2010504801.tif 000020